(57)【要約】【課題】モアレの発生を抑制する。【解決手段】積層体２０は、画素ｐｘを有する表示装置１０に対面して配置される。積層体２０は、絵柄層３０と、拡散シート４０と、を備える。絵柄層３０は、絵柄を形成する絵柄部３３と、絵柄部３３の非形成部である透過部３５と、を有する。拡散シート４０は、絵柄層３０と表示装置１０との間に配置される。【選択図】図２
2019179197.tif 000002
【特許請求の範囲】
【請求項１】
画素を有する表示装置に対面して配置される積層体であって、
絵柄を形成する絵柄部と、前記絵柄部の非形成部である透過部と、を有する絵柄層と、
前記絵柄層と前記表示装置との間に配置される拡散シートと、を備える、積層体。
【請求項２】
前記透過部は、一方向及び前記一方向に非平行な他方向に沿って規則的に配列されている、請求項１に記載の積層体。
【請求項３】
前記拡散シートは、表面拡散層を含み、
前記表面拡散層は、少なくとも前記拡散シートの前記絵柄層に近接する側とは逆側に設けられている、請求項１または２に記載の積層体。
【請求項４】
前記絵柄層は、前記拡散シートの側から前記絵柄部を覆うように設けられた遮蔽部をさらに有する、請求項１乃至３のいずれか一項に記載の積層体。
【請求項５】
前記拡散シートの厚さは、４５０μｍ以上である、請求項１乃至４のいずれか一項に記載の積層体。
【請求項６】
前記拡散シートのヘイズ値は、１２．８％以上である、請求項１乃至５のいずれか一項に記載の積層体。
【請求項７】
前記拡散シートの厚さＴ〔μｍ〕と前記拡散シートのヘイズ値Ｈ〔％〕とが、次の関係を満たす、請求項１乃至６のいずれか一項に記載の積層体。
Ｔ＞−１７．３Ｈ＋９３４
【請求項８】
画素を有する表示装置と、
前記拡散シートが設けられた側が前記表示装置に対面するよう配置された請求項１乃至７のいずれか一項に記載の積層体と、を備える、電子機器。
【請求項９】
前記画素は、ある方向及び前記ある方向に非平行な別の方向に沿って規則的に配列されている、請求項８に記載の電子機器。
【請求項１０】
前記表示装置が画像を表示している状態で、前記画像を表示し、
前記表示装置が画像を表示していない状態で、前記絵柄部によって形成される絵柄を表示する、請求項８または９に記載の電子機器。
【発明の詳細な説明】
【技術分野】
【０００１】
本発明は、積層体及び積層体を備える電子機器に関する。
【背景技術】
【０００２】
画像を表示する表示装置を備える電子機器が広く用いられている。このような表示装置は、画像非表示の状態では、通常、黒色に観察される。一方で、例えば自動車や家具、住宅建材等の表面部材においては、意匠性が非常に重要視される。現在、種々の分野に適用される電子機器に対し、単に表示装置に画像を表示する機能が期待されているだけでなく、周囲環境との意匠性の調和も要求されている。
【０００３】
電子機器に意匠性を付与するために、例えば特許文献１に示すように、表示装置の表示面に対面する位置に、加飾層を有する積層体（加飾シート）を設けることが考えられた。積層体は、表示装置に周辺環境と調和することができる意匠性を付与することができる。また、表示装置の画像光が積層体を透過することができるよう、積層体の表示面に対面する領域には孔等の透過部が設けられる。
【先行技術文献】
【特許文献】
【０００４】
【特許文献１】特開２０１２−８３５８９号公報
【発明の概要】
【発明が解決しようとする課題】
【０００５】
ところが、特許文献１に示すような積層体を表示装置の表示面に対面する位置に設けた場合、表示面に画像を表示すると、観察される画像にモアレ（干渉縞）が生じることがあった。本件発明者らが鋭意検討した結果、モアレは、積層体に設けられた透過部の規則的な配列と、表示装置の画素の規則的な配列とに起因して生じることが知見された。モアレは表示装置に表示される画像を観察する際の視認性を悪化させるため、モアレの発生を抑制することが望まれる。
【０００６】
モアレの発生を抑制するために、積層体に設けられる透過部の配列を不規則にすることが考えられた。しかし、透過部の配列を不規則にすることは手間がかかる。また、積層体を透過する画像光の量がばらつき、観察される画像の明るさにむらが生じることがある。このため、透過部の配列を不規則にすることは、好ましくない。
【０００７】
本発明は、このような点を考慮してなされたものであり、モアレの発生を抑制することを目的とする。
【課題を解決するための手段】
【０００８】
本発明の積層体は、画素を有する表示装置に対面して配置される積層体であって、
絵柄を形成する絵柄部と、前記絵柄部の非形成部である透過部と、を有する絵柄層と、
前記絵柄層と前記表示装置との間に配置される拡散シートと、を備える。
【０００９】
本発明の積層体において、前記透過部は、一方向及び前記一方向に非平行な他方向に沿って規則的に配列されていてもよい。
【００１０】
本発明の積層体において、
前記拡散シートは、表面拡散層を含み、
前記表面拡散層は、少なくとも前記拡散シートの前記絵柄層に近接する側とは逆側に設けられていてもよい。
【００１１】
本発明の積層体において、前記絵柄層は、前記拡散シートの側から前記絵柄部を覆うように設けられた遮蔽部をさらに有してもよい。
【００１２】
本発明の積層体において、前記拡散シートの厚さは、４５０μｍ以上であってもよい。
【００１３】
本発明の積層体において、前記拡散シートのヘイズ値は、１２．８％以上であってもよい。
【００１４】
本発明の積層体において、前記拡散シートの厚さＴ〔μｍ〕と前記拡散シートのヘイズ値Ｈ〔％〕とが、次の関係を満たしてもよい。
Ｔ＞−１７．３Ｈ＋９３４
【００１５】
本発明の電子機器は、
画素を有する表示装置と、
前記拡散シートが設けられた側が前記表示装置に対面するよう配置された上述したいずれかの積層体と、を備える。
【００１６】
本発明の電子機器において、前記画素は、ある方向及び前記ある方向に非平行な別の方向に沿って規則的に配列されていてもよい。
【００１７】
本発明の電子機器において、
前記表示装置が画像を表示している状態で、前記画像を表示し、
前記表示装置が画像を表示していない状態で、前記絵柄部によって形成される絵柄を表示してもよい。
【発明の効果】
【００１８】
本発明によれば、モアレの発生を抑制することができる。
【図面の簡単な説明】
【００１９】
【図１】図１は、電子機器の各要素を概略的に示す分解斜視図である。
【図２】図２は、電子機器の断面図である。
【図３】図３は、積層体の一部を拡大して示す正面図である。
【図４】図４は、表示装置が画像を表示していない状態を示す、電子機器の正面図である。
【図５】図５は、表示装置が画像を表示している状態を示す、電子機器の正面図である。
【図６】図６は、電子機器の一変形例を示す断面図である。
【図７】図７は、拡散シートの厚さとヘイズ値との関係を説明するためのグラフである。
【図８】図８は、従来の電子機器を示す断面図である。
【発明を実施するための形態】
【００２０】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００２１】
なお、本明細書において、「板」、「シート」、「フィルム」の用語は、呼称の違いのみに基づいて、互いから区別されるものではない。例えば、「拡散シート」は板やフィルムと呼ばれ得るような部材をも含む概念であり、したがって、「拡散シート」は、「拡散板」や「拡散フィルム」と呼ばれる部材と、呼称の違いのみにおいて区別され得ない。
【００２２】
また、本明細書において用いる、形状や幾何学的条件ならびにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２３】
図１は、本発明による一実施の形態の電子機器１を概略的に示す分解斜視図である。図１に示されるように、電子機器１は、表示面１１を有する表示装置１０と、表示面１１に対面して配置された積層体２０と、を有している。電子機器１において、積層体２０は、後述する拡散シート４０が設けられた側が表示装置１０に対面するよう配置されている。なお、図示されている例では、電子機器１は、平板状に示されているが、電子機器１の各構成要素が湾曲することで、電子機器１は、湾曲形状であってもよい。
【００２４】
表示装置１０は、画像光を出射する装置であり、画像光を出射することができる表示面１１を有している。表示装置１０は、液晶ディスプレイやプラズマディスプレイ、有機ＥＬディスプレイ等の任意の表示装置を用いることができる。このような表示装置１０の表示面１１は、典型的にはガラス面となっている。表示面１１は、第１方向ｄ１及び第１方向ｄ１に非平行な第２方向ｄ２に広がっている。図示された例において、第１方向ｄ１と第２方向ｄ２とは、互いに直交している。また、表示装置１０は、表示面１１において、第１方向ｄ１及び第２方向ｄ２に沿って規則的に配列されている複数の画素ｐｘを有している。言い換えると、複数の画素ｐｘは、規則的に２次元配列されている。すなわち、表示装置１０は、いわゆるドットマトリクスディスプレイである。
【００２５】
積層体２０は、表示装置１０の表示面１１に対面して配置され、表示面１１が外部から直接観察されないよう、少なくとも表示面１１の全体を覆っている。図示された例では、積層体２０は、正面視において表示装置１０の表示面１１と重なる第１領域２０ａと、第１領域２０ａ以外の領域である第２領域２０ｂと、を含んでいる。積層体２０は、表示装置１０の表示面１１の全体を覆うことができるよう、表示面１１の寸法より大きな寸法を有している。しかしながら、図示された例に限らず、積層体２０は、表示面１１と同一の寸法を有していてもよい。この場合、積層体２０は、正面視において表示装置１０の表示面１１と重なる第１領域２０ａのみを含む。図１に示す例では、積層体２０は、全体として表示装置１０の表示面１１と同一の方向に広がる平板状の部材である。すなわち、積層体２０は、第１方向ｄ１及び第２方向ｄ２に広がっている。積層体２０の厚さは、例えば４７０μｍ以上１５００μｍ以下である。また、積層体２０は、絵柄を表示して、電子機器１に意匠性を付与する。積層体２０は、絵柄層３０と、絵柄層３０と表示装置１０との間に配置された拡散シート４０と、を有している。
【００２６】
絵柄層３０は、積層体２０が表示する絵柄を形成するための層である。絵柄層３０は、基材部３１と、基材部３１上に設けられた絵柄部３３及び遮蔽部３７と、絵柄部３３及び遮蔽部３７の非形成部である透過部３５と、を有している。絵柄層３０の厚さは、例えば２０μｍ以上５５０μｍ以下である。
【００２７】
基材部３１は、基材部３１上に設けられた絵柄部３３および遮蔽部３７を適切に支持する。基材部３１は、透明なフィルム状の部材である。基材部３１としては、可視光を透過し、絵柄部３３及び遮蔽部３７を適切に支持し得るものであればいかなる材料でもよいが、例えば、ポリメタクリル酸メチル、ポリエチレンテレフタレート、ポリエチレンナフタレート、ポリカーボネート、ポリスチレン、環状ポリオレフィン等を挙げることができる。また、基材部３１は、可視光透過性や、絵柄部３３および遮蔽部３７の適切な支持性等を考慮すると、１０μｍ以上５００μｍ以下の厚みを有していることが好ましい。
【００２８】
なお、透明とは、分光光度計（（株）島津製作所製「ＵＶ−３１００ＰＣ」、ＪＩＳ  Ｋ  ０１１５準拠品）を用いて測定波長３８０ｎｍ〜７８０ｎｍの範囲内で測定したときの、各波長における透過率の平均値として特定される可視光透過率が、８０％以上であることを意味する。
【００２９】
絵柄部３３は、積層体２０が表示する絵柄を形成する。絵柄部３３は、図形、パターン、デザイン、色彩、絵、写真、キャラクター、マーク、文字や数字などの絵柄を、意匠として形成することができる。特に、電子機器１が設けられる周辺環境と調和させることができる意匠として、木目調や大理石調の絵柄や幾何学模様を例示することができる。また、絵柄部３３は、単色の色彩をベタ印刷してなる絵柄を意匠として形成するものであってもよい。なお、図２に示すような第１方向ｄ１及び第２方向ｄ２に直交する方向の断面における絵柄部３３の断面形状は、矩形となっているが、これに限らず、台形形状等であってもよい。絵柄部３３の厚さが厚くなっていると、絵柄部３３によって形成される絵柄を濃く明確にすることができる。ここで、絵柄部３３の厚さとは、絵柄部３３を支持する基材部３１の法線方向に沿った絵柄部３３の長さのことである。具体的な例として、絵柄部３３の厚さは、１μｍ以上２０μｍ以下である。
【００３０】
透過部３５は、表示装置１０からの画像光を透過させるために設けられている。透過部３５は、図３に示すように、積層体２０の正面からの観察において、絵柄部３３及び遮蔽部３７の非形成部である。なお、透過部３５は、図２に示された例のように、孔や空隙であってもよいが、例えば透明な樹脂によって形成されてもよい。さらに、透明な樹脂は、透過部３５だけでなく、基材部３１が設けられている側とは逆側から絵柄部３３および遮蔽部３７を覆うように形成されていてもよい。このような透明な樹脂は、透過部３５を形成するとともに、絵柄部３３および遮蔽部３７を保護する透明な保護膜として機能することができる。図３に示された例では、透過部３５は、正面視において円形であるが、任意の形状であってもよい。
【００３１】
透過部３５は、第３方向ｄ３及び第３方向ｄ３に非平行な第４方向ｄ４に沿って規則的に配列されている。言い換えると、透過部３５は、規則的に２次元配列されている。本実施の形態では、図３に示すように、第１方向ｄ１と第２酸方向ｄ３が同一の方向であり、第２方向ｄ２と第４方向ｄ４が同一の方向である。すなわち、透過部３５は、第１方向ｄ１及び第２方向ｄ２に沿って配列されている。また、透過部３５は、例えば直径Ｄが５０μｍ以上２００μｍ以下の円形であり、隣り合う透過部３５の間隔Ｐは、例えば７５μｍ以上５００μｍ以下である。
【００３２】
透過部３５は、例えば、基材部３１上の全面に設けられた絵柄部３３及び遮蔽部３７に対して、透過部３５が形成させるべき位置にレーザーを照射し、レーザーが照射された位置の絵柄部３３及び遮蔽部３７を除去することで設けられる。なお、この透過部３５を形成する方法は例示であり、透過部３５は、他の方法によって形成されてもよい。
【００３３】
遮蔽部３７は、拡散シート４０の側から絵柄部３３を覆うように設けられている。遮蔽部３７は、表示装置１０からの画像光が絵柄部３３に入射しないよう、光を吸収する機能を有している。遮蔽部３７は、例えば光吸収粒子をバインダー樹脂中に含み得る。光吸収粒子としては、カーボンブラックやチタンブラック等の黒色顔料を例示することができる。表示装置１０から出射された画像光が透過部３５を透過することを遮蔽部３７によって阻害されないよう、遮蔽部３７は、絵柄部３３に対面する位置にのみ設けられていることが好ましい。また、十分な厚さの遮蔽部３７が絵柄部３３を覆っていると、絵柄部３３によって形成される絵柄を濃く明確に形成することができる。具体的な例として、遮蔽部３７の厚さは、１μｍ以上２０μｍ以下である。
【００３４】
拡散シート４０は、表示装置１０から出射した画像光を拡散させながら透過させる。拡散シート４０は、基材層４１と、基材層４１の絵柄層３０に近接する側とは逆側の面に設けられた表面拡散層４３と、を有している。
【００３５】
図示された例では、拡散シート４０は、積層体２０と同様に、少なくとも表示装置１０の表示面１１の全体を覆うことができるよう、表示面１１の寸法より大きな寸法を有している。図２に示された例では、拡散シート４０は、絵柄層３０と重なる領域の全体に亘って、すなわち積層体２０の全体に亘って設けられている。しかしながら、拡散シート４０は、積層体２０の全体に設けられていなくてもよい。すなわち、拡散シート４０は、表示面１１の全体を覆っていれば、積層体２０の一部にのみ設けられていてもよい。例えば、拡散シート４０は、積層体２０の第１領域２０ａと重なる部分にのみ設けられていてもよい。すなわち、拡散シート４０は、表示面１１と同一の寸法を有していてもよい。
【００３６】
また、後述するように、拡散シート４０の光を拡散させる部分と絵柄層３０の透過部３５との間の距離が長くすることで、表示装置１０が画像を表示した状態で、モアレの発生を効果的に抑制することができる。このため、例えば、図２に示す拡散シート４０の厚さＴは、４５０μｍ以上となっていることが好ましく、５８０μｍ以上となっていることがより好ましい。しかしながら、積層体２０全体が厚くなりすぎるのを防止するため、拡散シート４０の厚さＴは、１２００μｍ以下となっていることが好ましい。
【００３７】
拡散シート４０は、画像光を十分に拡散させるため、ヘイズ値Ｈが例えば１２．８％以上となっていることが好ましく、３２．４％以上となっていることがより好ましく、４６．７％以上となっていることがさらに好ましい。しかしながら、拡散シート４０のヘイズ値Ｈが高すぎると、画像光によって形成されるべき画像が電子機器１の観察者に観察されなくなる。このため、拡散シート４０のヘイズ値Ｈは、例えば５５．０％以下であることが好ましい。拡散シート４０のヘイズ値は、例えば拡散シート４０の製造時における表面拡散層４３のガラスブラストの粗さを適宜に調節することで、所望の値に調節することができる。
【００３８】
ここで、ヘイズ値とは、対象となる物体、ここでは拡散シート４０の全光線透過率に対する拡散透過率の比で表され、拡散シート４０を透過する光の拡散率を意味する。なお、全光線透過率とは、拡散シート４０へ入光する光の量に対する、拡散シート４０を透過する光の量の割合である。拡散透過率とは、拡散シート４０へ入光する光に対する、直進方向以外の方向に拡散シート４０を透過する光の量、すなわち拡散されて透過する光の量の割合である。全光線透過率と拡散透過率は、ＪＩＳ  Ｋ  ７３６１に準拠したヘイズメーター（例えば、村上色彩技術研究所製、製品番号：ＨＭ−１５０）によって測定することができる。
【００３９】
また、拡散シート４０の厚さＴ〔μｍ〕とヘイズ値Ｈ〔％〕とは、次の関係（ｉ）を満たしていることが好ましく、関係（ｉｉ）を満たしていることがより好ましい。
Ｔ＞−１７．３Ｈ＋９３４  ・・・（ｉ）
Ｔ＞−９．４Ｈ＋８８４    ・・・（ｉｉ）
このような関係を満たすことで、後述するように、表示装置１０が画像を表示した状態で、モアレの発生を効果的に抑制することができる。
【００４０】
基材層４１は、基材層４１上に設けられた表面拡散層４３を適切に支持する。基材層４１は、透明なフィルム状の部材であり、例えばアクリル系樹脂からなるフィルムで形成されている。また、基材層４１は、可視光透過性や、表面拡散層４３の適切な支持性等を考慮すると、１００μｍ以上１０００μｍ以下の厚みを有していることが好ましい。
【００４１】
表面拡散層４３は、凹凸形状を有し、拡散シート４０に光拡散性を付与する。表面拡散層４３は、拡散シート４０の表面に形成されている。図２に示された例では、表面拡散層４３は、基材層４１の絵柄層３０に近接する側とは逆側の面に設けられている。また、表面拡散層４３は、凹凸形状を有している。表面拡散層４３の凹凸形状により、拡散シート４０の表面において光を拡散することができる。表面拡散層４３は、基材層４１と同一の材料で形成されていることが好ましい。表面拡散層４３の厚さは、例えば２μｍ以上２０μｍ以下である。
【００４２】
なお、図２に示された例では、表面拡散層４３は、基材層４１の絵柄層３０に近接する側とは逆側の面に設けられている。しかしながら、表面拡散層４３は、基材層４１の絵柄層３０に近接する側とは逆側の面に代えて、絵柄層３０に近接する側の面に設けられていてもよい。さらには、表面拡散層４３は、絵柄層３０に近接する側の面及び基材層４１の絵柄層３０に近接する側とは逆側の面の両面に設けられていてもよい。
【００４３】
次に、本実施の形態の電子機器１の作用について説明する。
【００４４】
表示装置１０の表示面１１に画像を表示しない状態では、図４に示すように、積層体２０の第１領域２０ａ及び第２領域２０ｂにおいて、積層体２０の絵柄部３３によって形成される絵柄が表示される。すなわち、電子機器１は、観察されることが意図された絵柄を表示することができる。表示された絵柄によって、表示装置１０の表示面１１が外部の観察者から観察されなくなり、意匠性において電子機器１を周辺環境と調和させることができる。特に、遮蔽部３７が絵柄部３３に対面する位置にのみ設けられている場合、遮蔽部３７が観察者に観察されず、遮蔽部３７によって積層体２０の意匠性が害されることを防止することができる。
【００４５】
一方、表示装置１０が表示面１１に画像を表示した状態では、図５に示すように、画像光は、積層体２０の第１領域２０ａにおいて、拡散シート４０の表面拡散層４３で拡散されながら拡散シート４０を透過する。その後、画像光は、絵柄層３０の透過部３５及び基材部３１を透過し、これにより、観察者は画像を観察することができる。すなわち、電子機器１は、観察されることが意図された画像を表示することができ、外部の観察者は、画像を観察することができる。
【００４６】
また、絵柄部３３は、遮蔽部３７によって表示装置１０の側から覆われている。したがって、遮蔽部３７によって、画像光が絵柄部３３へ入射することが妨げられる。このため、絵柄部３３を画像光が透過して、絵柄部３３によって表される絵柄と画像光とが混合して観察されることを防止することができる。すなわち、絵柄部３３で特定波長域の可視光が吸収されることに起因して画像の色再現性が劣化することを効果的に防止することができる。さらに、遮蔽部３７が絵柄部３３に対面する領域にのみ設けられている場合、遮蔽部３７によって透過部３５を透過する画像光が妨げられることが防止される。すなわち、画像光を効率的に利用して、画像を明るく表示することができる。
【００４７】
ところで、上述したように、図８に示すような従来の積層体１２０を有する電子機器１０１では、表示装置１１０の表示面１１１に画像を表示すると、モアレが発生することがある。モアレは、積層体１２０の絵柄層１３０に設けられた透過部１３５の規則的な配列と、表示装置１１０の画素の規則的な配列とに起因して生じる。より詳しくは、規則的に配列された画素を有する表示装置１１０から出射した画像光は、画素の配列による周期性を含んでいる。また、画像光は、規則的に配列された透過部１３５を透過することで、透過部１３５の周期性を含んで、積層体１２０から出射する。すなわち、積層体１２０から出射する画像光では、画素の配列による周期性と透過部１３５の配列による周期性とを含んでいる。これら２つの周期性が互いに干渉することで、観察される画像にモアレ（干渉縞）が生じる。
【００４８】
一方、本実施の形態の電子機器１では、積層体２０が絵柄層３０と表示装置１０との間に配置された拡散シート４０を有している。このような電子機器１では、表示装置１０から出射した画像光は、拡散シート４０で拡散された後に、絵柄層３０の透過部３５を透過する。規則的に配列された画素を有する表示装置１０から出射した画像光は、画素ｐｘの配列の周期性を含んでいるが、拡散シート４０で拡散されることで、この周期性が弱められる。拡散シート４０で拡散された画像光が規則的に配列された絵柄層３０の透過部３５を透過して積層体２０から出射しても、画像光は、画素ｐｘの配列による周期性と透過部３５の配列による周期性とを含んでいるが、画素ｐｘの配列による周期性が弱められている。このため、２つの周期性の干渉が生じにくくなり、モアレの発生が抑制される。
【００４９】
とりわけ、拡散シート４０の光を拡散させる部分と絵柄層３０の透過部３５との間の距離が長くなると、拡散された光が広がって進むため、各画素ｐｘから出射した光が互いに重なり合い、画素ｐｘの配列による周期性が効果的に弱められる。したがって、拡散シート４０において光を拡散させる部分は、絵柄層３０に近接する側とは逆側、すなわち絵柄層３０から離間する側に設けられていることが好ましい。すなわち、拡散シート４０において表面拡散層４３は、表示装置１０に近接する側に設けられていることが好ましい。さらに、拡散シート４０の光を拡散させる部分と絵柄層３０の透過部３５との間の距離を長くするために、拡散シート４０の厚さＴが、４５０μｍ以上であることが好ましく、５８０μｍ以上であることがより好ましい。画素ｐｘの配列に起因した画像光の周期性を効果的に弱めることで、画素ｐｘの配列による周期性と透過部３５の配列による周期性との干渉がより生じにくくなり、モアレの発生がより抑制される。
【００５０】
また、画像光を十分に拡散して画像光から画素ｐｘの配列による周期性を効果的に弱めるために、拡散シート４０の拡散性は強いことが好ましい。具体的には、拡散シート４０のヘイズ値は、１２．８％以上であることが好ましく、３２．４％以上であることがより好ましく、４６．７％以上であることがさらに好ましい。画素ｐｘの配列による周期性が画像光から効果的に弱めることで、画素ｐｘの配列による周期性と透過部３５の配列による周期性との干渉がさらに生じにくくなり、モアレの発生がさらに抑制される。
【００５１】
上述したように、拡散シート４０の厚さＴが大きいことが好ましく、ヘイズ値Ｈが高いことが好ましい。本件発明者らが鋭意検討した結果、拡散シート４０によって画像光を拡散させて画素ｐｘの配列による周期性を画像光から効果的に弱めるためには、拡散シート４０の厚さＴ〔μｍ〕と拡散シート４０のヘイズ値Ｈ〔％〕は、次の関係（ｉ）を満たしていることが好ましく、関係（ｉｉ）を満たしていることがより好ましいことが知見された。
Ｔ＞−１７．３Ｈ＋９３４  ・・・（ｉ）
Ｔ＞−９．４Ｈ＋８８４    ・・・（ｉｉ）
この関係（ｉ）又は（ｉｉ）が満たされていると、画像光から画素ｐｘの配列による周期性が弱められ、画素ｐｘの配列による周期性と透過部３５の配列による周期性との干渉がさらに生じにくくなり、モアレの発生がさらに抑制される。
【００５２】
以上のように、本実施の形態の積層体２０は、画素ｐｘを有する表示装置１０に対面して配置される積層体であって、絵柄を形成する絵柄部３３と、絵柄部３３の非形成部である透過部３５と、を有する絵柄層３０と、絵柄層３０と表示装置１０との間に配置される拡散シート４０と、を備える。このような積層体２０によれば、表示装置１０の各画素ｐｘから出射した画像光が、拡散シート４０によって拡散される。このため、画素ｐｘの配列による周期性が弱められる。画素ｐｘの配列による周期性と透過部３５の配列による周期性との干渉が生じにくくなるため、モアレの発生を抑制することができる。
【００５３】
また、本実施の形態の積層体２０において、拡散シート４０は、表面拡散層４３を含み、表面拡散層４３は、少なくとも拡散シート４０の絵柄層３０に近接する側とは逆側に設けられている。このような積層体２０によれば、拡散シート４０の光を拡散させる部分である表面拡散層４３と絵柄層３０の透過部３５との間の距離を長くすることができる。表面拡散層４３と透過部３５との間の距離を長くすることで、画像光を十分に拡散させて画素ｐｘの配列による周期性を画像光から効果的に弱めることができる。このため、画素ｐｘの配列による周期性と透過部３５の配列による周期性との干渉がより生じにくくなり、モアレの発生をより抑制することができる。
【００５４】
さらに、本実施の形態の積層体２０において、絵柄層３０は、拡散シート４０の側から絵柄部３３を覆うように設けられた遮蔽部３７をさらに有する。このような積層体２０によれば、遮蔽部３７によって、画像光が絵柄部３３へ入射することが妨げられる。このため、絵柄部３３を画像光が透過して、絵柄部３３によって表される絵柄と画像光とが混合して観察されることを防止することができる。
【００５５】
また、本実施の形態の積層体２０において、拡散シート４０の厚さＴは、４５０μｍ以上である。このような積層体２０によれば、拡散シート４０の光を拡散させる部分と絵柄層３０の透過部３５との間の距離を長くすることができる。光を拡散させる部分と透過部３５との間の距離を長くすることで、画像光を十分に拡散させて画素ｐｘの配列による周期性を画像光から効果的に弱めることができる。このため、画素ｐｘの配列による周期性と透過部３５の配列による周期性との干渉がより生じにくくなり、モアレの発生をより抑制することができる。
【００５６】
さらに、本実施の形態の積層体２０において、拡散シート４０のヘイズ値Ｈは、１２．８％以上である。このような積層体２０によれば、表示装置１０の各画素ｐｘから出射した画像光が、拡散シート４０によって十分に拡散される。画像光が十分に拡散されることで、画素ｐｘの配列による周期性を画像光から効果的に弱めることができる。このため、画素ｐｘの配列による周期性と透過部３５の配列による周期性との干渉がさらに生じにくくなり、モアレの発生をさらに抑制することができる。
【００５７】
また、本実施の形態の積層体２０によれば、拡散シート４０の厚さＴ〔μｍ〕と拡散シート４０のヘイズ値Ｈ〔％〕とが、次の関係（ｉ）を満たす。
Ｔ＞−１７．３Ｈ＋９３４  ・・・（ｉ）
このような積層体２０によれば、拡散シート４０において画像光の十分に拡散させて、画素ｐｘの配列による周期性を画像光から効果的に弱めることができる。このため、画素ｐｘの配列による周期性と透過部３５の配列による周期性との干渉がさらに生じにくくなり、モアレの発生をさらに抑制することができる。
【００５８】
なお、上述した実施の形態に対して様々な変更を加えることが可能である。
【００５９】
例えば、図６に示すように、積層体２０において、拡散シート４０の基材層４１を基材として、絵柄層３０が形成されていてもよい。あるいは、積層体２０は、その製造工程で基材部３１を剥離させる等によって、基材部３１が除かれていてもよい。言い換えると、積層体２０は、基材部３１を有していなくてもよい。このような積層体２０によれば、基材部３１が存在しないため、積層体２０を薄くすることができる。
【００６０】
上述した電子機器１は、例えば自動車や鉄道等の車両、航空機、船舶及び宇宙船等の移動体の内装部材または外装部材に用いられる。具体的な適用例として、電子機器１は、自動車のセンターコンソールや、ドアトリムに用いられる。あるいは、電子機器１は、建物の内装部材または外装部材、電子機器、家具や電化製品に組み込まれて用いられてもよい。
【実施例】
【００６１】
以下、実施例を用いて本発明をより詳細に説明するが、本発明はこの実施例に限定されるものではない。
【００６２】
実施例１〜７として、拡散シート４０の厚さＴ及びヘイズ値Ｈを変更した積層体２０を備える電子機器１を用意した。実施例１〜７における拡散シート４０の基材層４１及び表面拡散層４３は、アクリル系樹脂からなる。拡散シート４０は、押出成形によって製造される。押出成形のダイスの隙間を適宜に変更することで、拡散シート４０の厚さＴを変化させている。また、実施例１〜７の拡散シート４０は、ガラスブラストの加工条件を変化させて表面拡散層４３の表面粗さを変化させることで、ヘイズ値Ｈを変化させている。また、比較例１として、実施例１〜７の拡散シート４０が配置されている位置に基材シートが配置されている積層体を備える電子機器を用意した。比較例１において、基材シートはアクリル系樹脂からなる。また、比較例１において、基材シートには表面拡散層が設けられていない。各実施例及び比較例において、絵柄層３０の透過部３５は、第１方向ｄ１及び第２方向ｄ２に沿って規則的に配列されている。透過部３５は、直径Ｄが５０μｍ、間隔Ｐが１００μｍである。表示装置１０は、第１方向ｄ１及び第２方向ｄ２に沿って規則的に配列された複数の画素ｐｘを有する。表示装置１０としては、７インチ液晶ディスプレイ(解像度WVGA)を用いた。実施例１〜７及び比較例１を観察する際に、表示装置１０には、白色の画像を表示させた。
【００６３】
各実施例の拡散シート４０及び比較例の基材シートの厚さＴ及びヘイズ値Ｈを以下の表１に示す。また、各実施例及び比較例について、目視にてモアレの有無を確認した結果を表１に示す。目視にてモアレが確認されなかったものにはＡを、注意深く観察しないとモアレが確認されなかったものにはＢを、画像の視認性にほとんど影響がないモアレのみが確認されたものにはＣを、画像の視認性に悪影響を及ぼすモアレが確認されたものにはＤを、それぞれ付している。
【００６４】
【表１】
2019179197.tif 000003
【００６５】
また、各実施例及び比較例について、縦軸を拡散シート４０の厚さＴ〔μｍ〕、横軸を拡散シート４０のヘイズ値Ｈ〔％〕としたグラフを図７に示す。
【００６６】
表１及び図７から理解されるように、実施例１〜７及び比較例１との比較から、積層体２０が拡散シート４０を有していると、モアレの発生を抑制することができる。とりわけ、拡散シート４０のヘイズ値Ｈが１２．８％以上であると、モアレの発生を抑制することができる。また、実施例１，２と実施例５〜７との比較から、拡散シート４０のヘイズ値Ｈが３２．４％以上であると、モアレの発生をより抑制することができ、ヘイズ値Ｈが４６．７％以上であると、モアレの発生をさらに抑制することができることが理解される。これは、拡散シート４０で拡散されることで、表示装置１０の画素ｐｘの配列による周期性が効果的に弱められ、画素ｐｘの配列による周期性と透過部３５の配列による周期性との干渉が生じにくくなったためであると考えられる。
【００６７】
さらに、実施例３〜７の比較から、拡散シート４０の厚さＴが４５０μｍ以上であると、モアレの発生をより抑制することができ、５８０μｍ以上であると、モアレの発生をさらに抑制することができることが理解される。これは、拡散シート４０の光を拡散させる部分と絵柄層３０の透過部３５との間の距離が長いほど、拡散された光が広がって進むため、各画素ｐｘから出射した光が互いに重なり合い、画素ｐｘの配列による周期性が効果的に弱められる。このため、画素ｐｘの配列による周期性と透過部３５の配列による周期性との干渉が生じにくくなったためであると考えられる。
【００６８】
さらに、図７には、直線Ｌ１，Ｌ２が示されている。図７の直線Ｌ１は、拡散シート４０の厚さＴ〔μｍ〕及びヘイズ値Ｈ〔％〕について、以下の式（ａ）で示される直線である。
Ｔ＝−１７．３Ｈ＋９３４  ・・・（ａ）
図７において直線Ｌ１を境界とする右上の領域が、次の関係（ｉ）を満たす拡散シート４０の厚さＴ及びヘイズ値Ｈとなる領域である。図から理解されるように、実施例１〜４は関係（ｉ）を満たしている。
Ｔ＞−１７．３Ｈ＋９３４  ・・・（ｉ）
拡散シート４０の厚さＴ〔μｍ〕及びヘイズ値Ｈ〔％〕が関係（ｉ）を満たしていると、実施例１〜４と実施例５〜７との比較から理解されるように、モアレの発生をより抑制することができる。また、図７の直線Ｌ２は、拡散シート４０の厚さＴ〔μｍ〕及びヘイズ値Ｈ〔％〕について、以下の式（ｂ）で示される直線である。
Ｔ＝−９．４Ｈ＋８８４  ・・・（ｂ）
図７において直線Ｌ２を境界とする右上の領域が、関係（ｉｉ）を満たす拡散シート４０の厚さＴ及びヘイズ値Ｈとなる領域である。図から理解されるように、実施例１及び実施例３は関係（ｉｉ）を満たしている。
Ｔ＞−９．４Ｈ＋８８４  ・・・（ｉｉ）
拡散シート４０の厚さＴ〔μｍ〕及びヘイズ値Ｈ〔％〕が関係（ｉｉ）を満たしていると、実施例１，３と実施例２，４との比較から理解されるように、モアレの発生をさらに抑制することができる。これは、拡散シート４０での拡散と、拡散シート４０の光を拡散させる部分と絵柄層３０の透過部３５との間の距離が長くなることとによって、画像光を十分に拡散させて画素ｐｘの配列による周期性を画像光から効果的に弱めることができ、画素ｐｘの配列による周期性と透過部３５の配列による周期性との干渉がさらに生じにくくなったためであると考えられる。
【符号の説明】
【００６９】
１    電子機器
１０    表示装置
１１    表示面
２０    積層体
２０ａ  第１領域
２０ｂ  第２領域
３０    絵柄層
３１    基材部
３３    絵柄部
３５    透過部
３７    遮蔽部
４０    拡散シート
４１    基材層
４３    表面拡散層
ｐｘ    画素
【図１】
2019179197.tif 000004
【図２】
2019179197.tif 000005
【図３】
2019179197.tif 000006
【図４】
2019179197.tif 000007
【図５】
2019179197.tif 000008
【図６】
2019179197.tif 000009
【図７】
2019179197.tif 000010
【図８】
2019179197.tif 000011